(57)【要約】  シート状書類を格納する書類格納デバイスが開示される。該デバイスは、書類格納ローラ(2)上におけるバンドの互いに隣接する巻き部分同士の間にシート状書類が格納され得る如く上記書類格納ローラ上に巻回され得るバンドであって、上記書類格納ローラから巻出されることにより格納書類を放出し得るというバンド(3)と、枢動部(21)の回りにおいて回転可能なスクレーパ・アセンブリであって、該スクレーパ・アセンブリは上記書類格納ローラに対して各々が接触するスクレーパ(19)および端部停止部(20)を備えるというスクレーパ・アセンブリとを備える。上記スクレーパ・アセンブリは、上記書類格納ローラ上の上記バンドに対する上記スクレーパの接触点に関して上記枢動部から遠位側の点において上記端部停止部が上記書類格納ローラ上の上記バンドとの接触を維持する如く、第1付勢要素(22)により付勢される。【選択図】図１
2009504544.tif 000002
【特許請求の範囲】
【請求項１】
書類格納ローラ上におけるバンドの互いに隣接する巻き部分同士の間にシート状書類が格納され得る如く前記書類格納ローラ上に巻回され得るバンドであって、前記書類格納ローラから巻出されることにより格納書類を放出し得るというバンドと、
枢動部の回りにおいて回転可能なスクレーパ・アセンブリであって、該スクレーパ・アセンブリは前記書類格納ローラに対して各々が接触するスクレーパおよび端部停止部を備え、該スクレーパ・アセンブリは、前記書類格納ローラ上の前記バンドに対する前記スクレーパの接触点に関して前記枢動部から遠位側の点において前記端部停止部が前記書類格納ローラ上の前記バンドとの接触を維持する如く、第1付勢要素により付勢されるというスクレーパ・アセンブリとを具備する、
シート状書類を格納する書類格納デバイス。
【請求項２】
前記書類は、前記書類格納ローラ上の前記バンドに対する前記スクレーパおよび前記端部停止部の夫々の接触点同士の間の点にて、前記書類格納ローラから放出される、請求項１に記載の書類格納デバイス。
【請求項３】
前記端部停止部はローラである、請求項１または請求項２に記載の書類格納デバイス。
【請求項４】
前記バンドが巻回され得るバンド用ローラを更に具備する、先行請求項のいずれか一つの請求項に記載の書類格納デバイス。
【請求項５】
前記バンドは、書類を前記書類格納ローラに格納し、また、該書類格納ローラから放出すべく、前記バンド用ローラと前記書類格納ローラとの間で選択的に巻回され得る、請求項４に記載の書類格納デバイス。
【請求項６】
前記バンドは前記スクレーパ・アセンブリ上に取付けられた一個以上のローラの回りに担持される、先行請求項のいずれか一つの請求項に記載の書類格納デバイス。
【請求項７】
前記書類は書類搬送システムを介して前記書類格納ローラへと搬送される、先行請求項のいずれか一つの請求項に記載の書類格納デバイス。
【請求項８】
前記書類搬送システムは前記バンドに対し且つ該バンドから書類を供与するベルト駆動器を具備する、請求項７に記載の書類格納デバイス。
【請求項９】
前記書類搬送システムは、該書類搬送システムまたは代替的な書類経路のいずれかへと書類を進路変更する進路変更器を具備する、請求項７または請求項８に記載の書類格納デバイス。
【請求項１０】
前記スクレーパ・アセンブリは前記スクレーパが枢動的に取付けられる支持部を具備する、先行請求項のいずれか一つの請求項に記載の書類格納デバイス。
【請求項１１】
前記スクレーパは第2付勢要素により前記書類格納ローラに向けて付勢される、請求項１０に記載の書類格納デバイス。
【請求項１２】
前記スクレーパは弾性材料から形成される、先行請求項のいずれか一つの請求項に記載の書類格納デバイス。
【請求項１３】
前記書類格納ローラおよび前記バンド用ローラは個別モータにより夫々駆動される、少なくとも請求項４に記載の書類格納デバイス。
【請求項１４】
本明細書において添付図面のいずれかに関して実質的に記述された書類格納デバイス。
【発明の詳細な説明】
【技術分野】
【０００１】
本発明は、格納ローラ上へと巻回されたバンドの互いに隣接する巻き部分同士の間にシート状書類(sheet document)を格納する書類格納システムに関する。
【背景技術】
【０００２】
斯かる形式の書類格納システムは、特に銀行券または銀行手形(banknote)の如き重要な書類の格納に対して知られている。それらのシステムは典型的にバンド用ローラおよび書類格納ローラを備え、それらに対してはバンドの両端部が夫々取付けられる。上記バンド用ローラは使用中でないバンドを格納すると共に、銀行券または銀行手形を格納することが所望されたときに上記２つのローラを回転させることにより上記バンドは上記バンド用ローラから上記書類格納ローラ上へと移行される。格納されるべき銀行券または銀行手形は、該銀行券または銀行手形が上記書類格納ローラ上で上記バンドの互いに隣接する巻き部分同士の間に捕捉される如く、上記バンドが上記書類格納ローラ上へと巻回される箇所の近傍にて上記バンドに対して供給される。
【０００３】
上記２個のローラを逆方向に回転させることにより、上記バンドは上記書類格納ローラから上記バンド用ローラへと移行される。故に、書類格納ローラ上で互いに隣接する巻き部分同士の間に格納された書類は解放される。
【０００４】
上記書類格納ローラからの書類の解放を助力するためには、スクレーパの配備が必要なことが見出されている。上記スクレーパは、書類格納ローラ上のバンドに対して接触すべく付勢されるブレード状要素であって、書類が解放されるときに該書類の前縁部に係合することで、引き続く搬送のための書類搬送システムへと上記書類が上記バンドから剥離されることを確実にするというブレード状要素である。
【発明の開示】
【発明が解決しようとする課題】
【０００５】
しかし既存のスクレーパ・システムは、書類格納ローラの直径が局所的に変動するが故に信頼性が不十分であるという問題がある。これらの変動は、バンドの互いに隣接する巻き部分同士の間において書類格納ローラ上に格納される書類の厚みにより引き起こされる。上記変動は上記スクレーパ・システムの一部を形成するローラであって書類格納ローラと係合することで端部停止部として作用するというローラを介して、該スクレーパ・システムに伝達される。故に上記スクレーパ・システムは、書類の格納および放出の間に不都合な径方向動作に直面する。この径方向動作によれば上記スクレーパはバンドから揚動離間され、その場合、上記スクレーパが十分に迅速に上記バンドとの接触を再確立しなければ、書類の前縁部はスクレーパにより係合されないこともある。
【課題を解決するための手段】
【０００６】
本発明のひとつの見地においては、
書類格納ローラ上における当該バンドの互いに隣接する巻き部分同士の間にシート状書類が格納され得る如く上記書類格納ローラ上に巻回され得るバンドであって、上記書類格納ローラから巻出されることにより格納書類を放出し得るというバンドと、
枢動部の回りにおいて回転可能なスクレーパ・アセンブリであって、該スクレーパ・アセンブリは上記書類格納ローラに対して各々が接触するスクレーパおよび端部停止部を備え、該スクレーパ・アセンブリは、上記書類格納ローラ上の上記バンドに対する上記スクレーパの接触点に関して上記枢動部から遠位側の点において上記端部停止部が上記書類格納ローラ上の上記バンドとの接触を維持する如く、第1付勢要素により付勢されるというスクレーパ・アセンブリとを具備する、
シート状書類を格納する書類格納デバイスが提供される。
【０００７】
先行技術と比較して端部停止部を別の場所に配置することで、上記端部停止部と上記書類格納ローラとの間の接触点が、上記スクレーパと上記書類格納ローラとの間の接触点よりも上記枢動部から更に遠くなることを確実とすることにより、上記端部停止部により拾い上げられる径方向動作の結果として上記スクレーパが蒙る動作の量は相当に減少される。これは、上記端部停止部が上記スクレーパよりも上記枢動部から更に離間されたので、上記径方向動作により上記枢動部の回りにおいて引き起こされる回転の量が減少されるからである。故に、上述の問題が克服される。
【０００８】
上記付勢要素は通常は螺旋スプリングである。上記枢動部の回りにおける回転の量を減少することにより、このスプリングにより及ぼされる力は概略的に一定であり且つ更に予測可能で制御可能である。これにより、上記書類格納ローラに対する上記端部停止部による連続的な反跳により引き起こされる損傷の減少が助力される、と言うのも、上記端部停止部の大きな径方向動作に起因して高い極大力が引き起こされる可能性は低いからである。これまで、これらの極大力の結果として、バンドが損傷されたり該バンドが書類格納ローラの軸心に沿う移動を蒙ることが見出されている。
【０００９】
更に、上記端部停止部を記述された如く載置することにより、上記スクレーパ・アセンブリは上記書類格納ローラに対して更に接近して配置され得る。これにより、搬送システムの第1挟持ローラは更に高信頼性の書類搬送のために上記書類格納ローラに対して更に接近して配設され得る。
【００１０】
上記書類は典型的に、上記書類格納ローラ上の上記バンドに対する上記スクレーパおよび上記端部停止部の夫々の接触点同士の間の点にて、上記書類格納ローラから放出される。上記バンドもまた、上記書類放出点にて上記書類格納ローラから引き出され、当然乍ら、書類と上記端部停止部との間において該書類の近傍に位置する。
【００１１】
好適実施例において、上記端部停止部はローラである。それはたとえば、ベアリングローラ、ボールレース(ball race)またはニードル・ローラとされ得ると共に、鋼鉄の如き適切な金属、または、ナイロンの如き適切なプラスチック材料から作成され得る。代替的に上記端部停止部は単に、回転しない従動子とされ得る。
【００１２】
上記書類格納デバイスは通常は、上記バンドが巻回され得るバンド用ローラを更に具備する。
【００１３】
上記バンドは、書類を上記書類格納ローラに格納し且つ該書類格納ローラから放出すべく、上記バンド用ローラと上記書類格納ローラとの間で選択的に巻回され得る。
【００１４】
好適実施例において、上記バンドは上記スクレーパ・アセンブリ上に取付けられた一個以上のローラの回りに担持される。
【００１５】
上記書類は典型的には、書類搬送システムを介して上記書類格納ローラへと搬送される。上記書類搬送システムは、上記バンドに対し且つ該バンドから書類を供与するベルト駆動器を備え得る。上記書類搬送システムは好適には、該書類搬送システムまたは代替的な書類経路のいずれかへと書類を進路変更する進路変更器を具備する。
【００１６】
上記スクレーパ・アセンブリは通常は、上記スクレーパが枢動的に取付けられる支持部を具備する。上記スクレーパは好適には、第2付勢要素により上記書類格納ローラに向けて付勢される。上記スクレーパは、弾性材料から形成され得る。
【００１７】
好適実施例において、上記書類格納ローラおよび上記バンド用ローラは個別モータにより夫々駆動される。
【００１８】
次に、添付図面を参照して本発明の実施例が記述される。
【発明を実施するための最良の形態】
【００１９】
図１および図２は、典型的に銀行券または銀行手形である書類を格納するデバイスを示している。図１において上記デバイスは書類が格納されていない状態で示され、且つ、図２において上記デバイスは容量まで満杯として示される。
【００２０】
図１および図２から理解され得る如く、多くの場合にローラ式格納モジュールとして知られる上記デバイスは、バンド3が両者間に延在するバンド用ローラ1および書類格納ローラ2を備える。バンド3は、バンド用ローラ1と書類格納ローラ2との間における該バンドの経路上にて、ゴムローラ4、ローラ5および駆動ローラ6の回りに担持される。
【００２１】
バンド用ローラ1および書類格納ローラ2は夫々、独立的に制御されるモータにより駆動され、その内の１個のみが7にて示される。図２に示された如く２個のモータ7を格納方向に駆動することにより、バンド3はバンド用ローラ1から書類格納ローラ2へと移行される。図１に示された如く、方向を反転する(すなわち放出方向に駆動する)ことによりバンド3は書類格納ローラ2からバンド用ローラ1へと移行される。
【００２２】
バンド3がバンド用ローラ1から書類格納ローラ2へと又はその逆に移行されるとき、ゴムローラ4、ローラ5および駆動ローラ6はバンド3により駆動される。ゴムローラ4には、移行されたバンド3の長さ(および、微分によりバンド3の移行の速度)を検出するセンサ11が装着される。このセンサ11は典型的には、自身の円周部の回りに配備されたスロットを備えた(不図示の)ディスクを備える。該ディスクがゴムローラ4と共に回転するときに、(不図示の)発光ダイオードから発せられた光は間欠的に中断および伝達される。伝達された光は(不図示の)検出器により検出され、センサ11からのパルス出力が生成される。各パルスに対応するバンド3の進行の直線距離を知ることにより、上記バンドにより踏破された距離はパルスをカウントすることで監視され得る。バンド3の進行の速度は、各パルス間の時間を測定することにより決定され得る。
【００２３】
駆動ローラ6は、歯車8に噛合する(不図示の)歯車に対して接続される。一方、歯車8は、搬送ローラ9に対して接続された(不図示の)歯車に対して噛合する。故に、バンド3が駆動ローラ6を駆動するにつれ、搬送ローラ9は回転される。これにより、自身の上端部にて搬送ローラ9と(不図示の)別のローラとの回りに担持された搬送ベルト10が駆動される。搬送ベルト10は、その上端部および下端部にて夫々、ローラ12aおよび12bと協働して挟持部を形成する。
【００２４】
ローラ13、進路変更ローラ14およびローラ16は、外部搬送システムの一部を形成する。それらは、不図示の対応ローラまたはベルトと協働することにより、該ローラ13、進路変更ローラ14およびローラ16および上記対応ローラまたはベルト間に画成された搬送経路に沿い書類を搬送する。この搬送経路から書類を進路変更する進路変更位置へと移動され得る進路変更器17が配備される。進路変更器17が進路変更位置に在るなら、ローラ13を通過して搬送された後で書類は進路変更器17により、(上記外部搬送システムにより駆動される)進路変更ローラ14と挟持ローラ15との間における挟持部へと付勢される。その他の場合、書類は引き続きローラ16へと搬送される。進路変更された書類は、搬送ベルト10とローラ12aとの間における挟持部により拾い上げられる。
【００２５】
搬送ベルト10の近傍には、書類センサ・システム18が配備される。これは、書類の通過を検出し得る。故にそれは、進路変更された書類が書類格納ローラ2まで安全に搬送されたことを確認すべく使用され得るか、または、たとえば進路変更された書類が上記外部搬送システムからの進路変更後の所定時間内に検出されなければ詰まりを検出すべく使用され得る。センサ・システム18は、反射または伝達された光の検出により作用する。
【００２６】
ローラ5、駆動ローラ6、搬送ローラ9、搬送ベルト10、および、ローラ12aおよび12bは全て、回動可能なスクレーパ・アセンブリ上に取付けられる。このスクレーパ・アセンブリ上には、(ガラス繊維により強化され得るポリアミド−６６の如き適切なプラスチックから作成された)スクレーパ19、および、当接ローラ20も取付けられる。上記アセンブリ全体は、枢動部21の回りで自由に回転する。該アセンブリは、螺旋スプリング22により書類格納ローラ2に向けて回転すべく付勢される。これにより上記アセンブリは、当接ローラ20が書類格納ローラ2と接触する如く、該ローラ2に向けて引張られ得る。実際において当接ローラ20は、枢動部21の回りにおけるスクレーパ・アセンブリの回転に対する端部停止部として作用する。
【００２７】
スクレーパ19は、枢動部23にて上記スクレーパ・アセンブリ上に枢動的に取付けられる。該スクレーパは、枢動部21と該スクレーパ19上のフック25との間に延在する第2螺旋スプリング24により、書類格納ローラ2に向けて独立的に付勢される。
【００２８】
次に、上記デバイスの動作が記述される。上記外部搬送器に沿い搬送されつつある書類が格納されるべきとき、進路変更器17は進路変更位置へと移動されることで、書類は、進路変更ローラ14と挟持ローラ15との間の挟持部へと進路変更される。
【００２９】
書類が進路変更ローラ14および挟持ローラ15を介して移動されるとき、バンド用ローラ1および書類格納ローラ2を駆動している各モータ7は、バンド3がバンド用ローラ1からゴムローラ4、ローラ5および駆動ローラ6を介して書類格納ローラ2へと移行される様に、格納方向へ駆動される。
【００３０】
これにより搬送ベルト10は、歯車8および搬送ローラ9を介して、駆動ローラ6から駆動される。故に、格納されるべき書類は、搬送ベルト10と挟持ローラ12aとの間における挟持部において拾い上げられる。それは、搬送ベルト10と挟持ローラ12bとの間の挟持部へと搬送される。格納されるべき書類は次に、駆動ローラ6から書類格納ローラ2へと進行するバンド3と、書類格納ローラ2上にすでに巻回されたバンド3との間に捕捉される。故に書類は、書類格納ローラ2上におけるバンド3の互いに隣接する巻き部分同士の間に格納される。この様にして、バンド3全体がバンド用ローラ1から書類格納ローラ2へと移行されるまで、更なる書類が格納され得る。このことは、バンド3の長さが既知であれば、センサ11により検出され得る。
【００３１】
更なる書類が格納されることからバンド3が更に書類格納ローラ2へと移行されるにつれ、書類格納ローラ2の直径は実際的に増大する。これは図２において明確に理解可能であり、該図において書類格納ローラ2の直径は書類が格納されていない図１の約60mmと比較して約125mmであり、且つ、バンド用ローラ1の直径は対応して約74mmから約29mmへと減少している。
【００３２】
書類格納ローラ2の直径の増大の故に、上記スクレーパ・アセンブリは枢動部21の回りで回転することにより、該直径の増大に対処し且つ書類の正しい供与を確実とする必要がある。書類格納ローラ2の直径が増大するにつれて当接ローラ20は上記スクレーパ・アセンブリを枢動部21の回りで回転させる、と言うのも、該当接ローラは書類格納ローラ2上のバンド3の最外側の回旋部に当接するからである。
【００３３】
書類格納ローラ2の直径が増大するにつれ、上記バンドにして接触するクレーパ19の最適角度は変化する。(螺旋スプリング24のスプリング張力下で)枢動部23の回りでスクレーパ19の枢動を許容することにより、上記最適角度は維持され得る。図１および図２に示された詳細断面“A”から理解され得る如く、書類格納ローラ2の直径が最小であるときにスクレーパ19とバンド3との間の角度は57.5°であり、且つ、上記直径が最大であるときに上記角度は72.2°である。故に、常に最適角度が維持される。
【００３４】
書類の放出が所望されたとき、各モータ7は格納方向の逆の放出方向に駆動される。故にバンド3は、書類格納ローラ2からバンド用ローラ1へと戻し移行される。これは、書類格納ローラ2から最外側の巻き部が離脱されてバンド用ローラ1に向けて引き出されるにつれて書類格納ローラ2上のバンド3の互いに隣接する巻き部分同士の間から銀行券または銀行手形を解放するという効果を有する。各書類の前縁部は、それがバンド3から解放されるときにスクレーパ19により係合される。実際的にスクレーパ19は、書類がバンド3に対して付着するのを阻止すると共に、該書類が搬送ベルト10とローラ12bとの間の挟持部により拾い上げられることを確実とする。その後に書類は、上記デバイスから、引き続く処理のために上記外部搬送システム上へと戻される。
【００３５】
更に書類が放出されるにつれ、書類格納ローラ2の直径は再び減少する一方、バンド用ローラ1はバンド3を回収するので該バンド用ローラの直径は増大される。螺旋スプリング22は、当接ローラ20により制限される書類格納ローラ2の直径が減少するにつれ、上記スクレーパ・アセンブリを該書類格納ローラに向けて回転させるべく作用する。当接ローラ20はスクレーパ19と比較して枢動部21から相対的に離間していることから、書類格納ローラ2が書類を放出するにつれて当接ローラ20に対して付与される径方向動作の結果として枢動部21の回りにおける角度的回転により、スクレーパ19の移動は最小限とされる。これにより、放出されつつある書類の前縁部に対してスクレーパ19が確実に係合し得る様に該スクレーパが上記バンドとの接触を維持することが助力される。
【図面の簡単な説明】
【００３６】
【図１】書類格納ローラが未積載であるときの書類格納デバイスを示す図である。
【図２】書類格納ローラが満杯であるときの書類格納デバイスを示す図である。
【図１】
2009504544.tif 000003
【図２】
2009504544.tif 000004
【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
書類格納ローラ上におけるバンドの互いに隣接する巻き部分同士の間にシート状書類が格納され得る如く前記書類格納ローラ上に巻回され得るバンドであって、前記書類格納ローラから巻出されることにより、格納された前記書類を放出し得るというバンドと、
枢動部の回りにおいて回転可能なスクレーパ・アセンブリであって、該スクレーパ・アセンブリは前記書類格納ローラ上の前記バンドに対して各々が接触するスクレーパおよび端部停止部を備え、該スクレーパ・アセンブリは、前記書類格納ローラ上の前記バンドに対する前記スクレーパの接触点に関して前記枢動部から遠位側の点において前記端部停止部が前記書類格納ローラ上の前記バンドとの接触を維持する如く、第1付勢要素により付勢されるというスクレーパ・アセンブリとを具備する、
シート状書類を格納する書類格納デバイス。
【請求項２】
前記書類は、前記書類格納ローラ上の前記バンドに対する前記スクレーパおよび前記端部停止部の夫々の接触点同士の間の点にて、前記書類格納ローラから放出される、請求項１に記載の書類格納デバイス。
【請求項３】
前記端部停止部はローラである、請求項１または請求項２に記載の書類格納デバイス。
【請求項４】
前記バンドが巻回され得るバンド用ローラを更に具備する、請求項１から請求項３のいずれか一つの請求項に記載の書類格納デバイス。
【請求項５】
前記バンドは、前記書類を前記書類格納ローラに格納し、また、該書類格納ローラから放出すべく、前記バンド用ローラと前記書類格納ローラとの間で選択的に巻回され得る、請求項４に記載の書類格納デバイス。
【請求項６】
前記バンドは前記スクレーパ・アセンブリ上に取付けられた一個以上のローラの回りに担持される、請求項１から請求項５のいずれか一つの請求項に記載の書類格納デバイス。
【請求項７】
前記書類は書類搬送システムを介して前記書類格納ローラへと搬送される、請求項１から請求項６のいずれか一つの請求項に記載の書類格納デバイス。
【請求項８】
前記書類搬送システムは前記バンドに対し且つ該バンドから前記書類を供与するベルト駆動器を具備する、請求項７に記載の書類格納デバイス。
【請求項９】
前記書類搬送システムは、該書類搬送システムまたは代替的な書類経路のいずれかへと前記書類を進路変更する進路変更器を具備する、請求項７または請求項８に記載の書類格納デバイス。
【請求項１０】
前記スクレーパ・アセンブリは前記スクレーパが枢動的に取付けられる支持部を具備する、請求項１から請求項９のいずれか一つの請求項に記載の書類格納デバイス。
【請求項１１】
前記スクレーパは第2付勢要素により前記書類格納ローラに向けて付勢される、請求項１０に記載の書類格納デバイス。
【請求項１２】
前記スクレーパは弾性材料から形成される、請求項１から請求項１１のいずれか一つの請求項に記載の書類格納デバイス。
【請求項１３】
前記書類格納ローラおよび前記バンド用ローラは個別モータにより夫々駆動される、請求項４に記載の書類格納デバイス。
【国際調査報告】
2009504544.tif 000005
2009504544.tif 000006
2009504544.tif 000007